(57)【要約】【課題】操作性を向上する。【解決手段】地図データに基づいて地図表示画面上にジャンプ移動する移動先を示すジャンプボタンを表示させ（Ｓ１１０）、ジャンプボタンが選択操作されたことを判定すると、ジャンプボタンにより示される移動先へジャンプ移動するように地図表示領域を変更する（Ｓ１１４）。【選択図】図２
2010039100.tif 000002
【特許請求の範囲】
【請求項１】
地図データに基づいて特定領域の地図表示画面を表示部に表示させる地図表示装置であって、
前記地図データに基づいて前記地図表示画面上にジャンプ移動する移動先を示すジャンプボタンを表示させるジャンプボタン表示手段と、
前記表示部に表示された前記ジャンプボタンを選択操作する操作手段と、
前記操作手段により前記ジャンプボタンが選択操作されたことを判定すると、前記ジャンプボタンにより示される移動先へジャンプ移動するように地図表示領域を変更する第１のジャンプ表示手段と、を備えたことを特徴とする地図表示装置。
【請求項２】
現在位置を特定する現在位置特定手段を備え、
前記ジャンプボタン表示手段は、前記現在位置特定手段により特定された現在位置との距離が予め定められた閾値未満となるような移動先を示すジャンプボタンを抽出し、当該抽出したジャンプボタンを前記表示部に表示させることを特徴とする請求項１に記載の地図表示装置。
【請求項３】
前記ジャンプボタンは、複数の表示モードに分類されており、
設定されている前記表示モードを特定する表示モード特定手段を備え、
前記ジャンプボタン表示手段は、前記表示モード特定手段により特定された前記表示モードに対応する前記ジャンプボタンを前記表示部に表示させることを特徴とする請求項１または２に記載の地図表示装置。
【請求項４】
前記表示モードは、複数のレベルに階層化されており、
前記表示モード特定手段は、設定されている前記表示モードと前記レベルを特定し、
前記ジャンプボタン表示手段は、前記表示モード特定手段により特定された前記表示モードおよび前記レベルに対応する前記ジャンプボタンを前記表示部に表示させることを特徴とする請求項３に記載の地図表示装置。
【請求項５】
前記第１のジャンプ表示手段は、ユーザにより操作された前記ジャンプボタンに応じて前記地図の表示スケールを変更する表示スケール変更手段を備えたことを特徴とする請求項４に記載の地図表示装置。
【請求項６】
走行案内に伴う履歴情報を学習する履歴情報学習機能を有し、
前記ジャンプボタン表示手段は、前記履歴情報からユーザの嗜好を推定し、ユーザの嗜好に合うように前記表示部に表示させる前記ジャンプボタンを修正するジャンプボタン修正手段を備えたことを特徴とする請求項１ないし５のいずれか１つに記載の地図表示装置。
【請求項７】
前記第１のジャンプ表示手段によりジャンプ表示した前記地図表示領域の履歴情報を記憶する表示領域履歴記憶手段を備え、
前記ジャンプボタン表示手段は、前記第１のジャンプ表示手段によりジャンプ移動する以前に前記表示部に表示させていた前記地図表示領域の表示に戻すための戻りボタンを前記表示部に表示させるようになっており、
前記操作手段により前記戻りボタンが選択操作されたことを判定すると、前記表示領域履歴記憶手段により記憶された前記履歴情報に基づいて前記第１のジャンプ表示手段によりジャンプ移動する以前に前記表示部に表示されていた前記地図表示領域の表示に戻す第２のジャンプ表示手段と、を備えたことを特徴とする請求項１ないし６のいずれか１つに記載の地図表示装置。
【請求項８】
前記ジャンプボタン表示手段は、前記ジャンプボタンにより示される移動先を示す方角および距離を算出し、前記ジャンプボタンにより示される移動先を示す方角および距離に対応する部位に前記ジャンプボタンを表示させることを特徴とする請求項１ないし７のいずれか１つに記載の地図表示装置。
【発明の詳細な説明】
【技術分野】
【０００１】
本発明は、地図データに基づいて特定領域の地図表示画面を表示部に表示させる地図表示装置に関するものである。
【背景技術】
【０００２】
従来、このような地図表示装置として、地図スクロールモードに移行すると、表示部に表示される地図画像の上にスクロールボタンとカーソルとを表示し、画面の縁部にスクロールボタンを表示するとともに、スクロールボタンの近傍に方面表示とカーソル位置の地点からの方面表示地点間での距離を表示するようにしたものがある（例えば、特許文献１参照）。
【特許文献１】特開２００５−３００９４４号公報
【発明の開示】
【発明が解決しようとする課題】
【０００３】
しかしながら、上記特許文献に記載された装置は、所望の地図表示領域を表示させるためにスクロールボタンを何度も操作しなければならない場合があり、操作性が良くないといった問題がある。
【０００４】
本発明は上記問題に鑑みたもので、操作性を向上することを目的とする。
【課題を解決するための手段】
【０００５】
上記目的を達成するため、請求項１に記載の発明は、地図データに基づいて特定領域の地図表示画面を表示部に表示させる地図表示装置であって、地図データに基づいて地図表示画面上にジャンプ移動する移動先を示すジャンプボタンを表示させるジャンプボタン表示手段と、表示部に表示されたジャンプボタンを選択操作する操作手段と、操作手段によりジャンプボタンが選択操作されたことを判定すると、ジャンプボタンにより示される移動先へジャンプ移動するように地図表示領域を変更する第１のジャンプ表示手段と、を備えたことを特徴としている。
【０００６】
このような構成によれば、地図データに基づいて地図表示画面上にジャンプ移動する移動先を示すジャンプボタンを表示させ、ジャンプボタンが選択操作されたことを判定すると、ジャンプボタンにより示される移動先へジャンプ移動するように地図表示領域を変更するので、１回の選択操作で所望の地図表示領域を表示させることが可能となり、操作性を向上することができる。
【０００７】
また、請求項２に記載の発明は、現在位置を特定する現在位置特定手段を備え、ジャンプボタン表示手段は、現在位置特定手段により特定された現在位置との距離が予め定められた閾値未満となるような移動先を示すジャンプボタンを抽出し、当該抽出したジャンプボタンを表示部に表示させることを特徴としている。
【０００８】
このような構成によれば、現在位置との距離が予め定められた閾値未満となるような移動先を示すジャンプボタンが抽出され、当該抽出されたジャンプボタンが表示部に表示されるので、現在位置を中心とする所定範囲内を移動先とするジャンプボタンのみを表示部に表示し、ジャンプボタンにより示される移動先へジャンプ移動するように地図表示領域を変更することが可能である。
【０００９】
また、請求項３に記載の発明は、ジャンプボタンは、複数の表示モードに分類されており、設定されている表示モードを特定する表示モード特定手段を備え、ジャンプボタン表示手段は、表示モード特定手段により特定された表示モードに対応するジャンプボタンを表示部に表示させることを特徴としている。
【００１０】
このような構成によれば、設定されている表示モードに対応するジャンプボタンが表示部に表示されるので、ユーザは好みの表示モードを設定することにより、好みの表示モードに対応するジャンプボタンを表示させることが可能である。
【００１１】
また、請求項４に記載の発明は、表示モードは、複数のレベルに階層化されており、表示モード特定手段は、設定されている表示モードとレベルを特定し、ジャンプボタン表示手段は、表示モード特定手段により特定された表示モードおよびレベルに対応するジャンプボタンを表示部に表示させることを特徴としている。
【００１２】
このような構成によれば、設定されている表示モードとレベルに対応するジャンプボタンが表示部に表示されるので、ユーザは好みの表示モードとレベルを設定することにより、好みの表示モードとレベルに対応するジャンプボタンを表示させることが可能である。
【００１３】
また、請求項５に記載の発明は、第１のジャンプ表示手段は、ユーザにより操作されたジャンプボタンに応じて地図の表示スケールを変更する表示スケール変更手段を備えたことを特徴としている。
【００１４】
このように、ユーザにより操作されたジャンプボタンに応じて地図の表示スケールを変更することができる。
【００１５】
また、請求項６に記載の発明は、走行案内に伴う履歴情報を学習する履歴情報学習機能を有し、ジャンプボタン表示手段は、履歴情報からユーザの嗜好を推定し、ユーザの嗜好に合うように表示部に表示させるジャンプボタンを修正するジャンプボタン修正手段を備えたことを特徴としている。
【００１６】
このような構成によれば、走行案内に伴う履歴情報を学習し、この履歴情報からユーザの嗜好を推定し、ユーザの嗜好に合うように表示部に表示させるジャンプボタンが修正されるので、ユーザの嗜好に合うジャンプボタンが表示部に表示され、ユーザは表示部に表示されたジャンプボタンを選択操作することが可能である。
【００１７】
また、請求項７に記載の発明は、第１のジャンプ表示手段によりジャンプ表示した地図表示領域の履歴情報を記憶する表示領域履歴記憶手段を備え、ジャンプボタン表示手段は、第１のジャンプ表示手段によりジャンプ移動する以前に表示部に表示させていた地図表示領域の表示に戻すための戻りボタンを表示部に表示させるようになっており、操作手段により戻りボタンが選択操作されたことを判定すると、表示領域履歴記憶手段により記憶された履歴情報に基づいて第１のジャンプ表示手段によりジャンプ移動する以前に表示部に表示されていた地図表示領域の表示に戻す第２のジャンプ表示手段と、を備えたことを特徴としている。
【００１８】
このような構成によれば、ジャンプ表示した地図表示領域の履歴情報を記憶しておき、ジャンプ移動する以前に表示部に表示させていた地図表示領域の表示に戻すための戻りボタンを表示部に表示させ、戻りボタンが選択操作されたことを判定すると、履歴情報に基づいてジャンプ移動する以前に表示部に表示されていた地図表示領域の表示に戻すので、ユーザは容易にジャンプ移動する以前に表示部に表示させていた地図表示領域の表示に戻す操作を行うことができる。
【００１９】
また、請求項８に記載の発明は、ジャンプボタン表示手段は、ジャンプボタンにより示される移動先を示す方角および距離を算出し、ジャンプボタンにより示される移動先を示す方角および距離に対応する部位にジャンプボタンを表示させることを特徴としている。
【００２０】
このような構成によれば、ジャンプボタンにより示される移動先を示す方角および距離を算出し、ジャンプボタンにより示される移動先を示す方角および距離に対応する部位にジャンプボタンが表示されるので、ジャンプボタンにより示される移動先を示す方角および距離感を認識し易い表示とすることができる。
【発明を実施するための最良の形態】
【００２１】
（第１実施形態）
本発明の第１実施形態に係る地図表示装置の構成を図１に示す。本地図表示装置は、ナビゲーション装置１として構成されている。本ナビゲーション装置１は、位置検出器１０、地図データ取得部１１、操作部１２、外部メモリ１３、表示部１４、スピーカ１５、リモコンセンサ１６および制御部１７を備えている。
【００２２】
位置検出器１０は、地磁気センサ、ジャイロスコープ、距離センサおよびＧＰＳ受信機等（いずれも図示せず）を有しており、これらから入力される現在位置を特定するための情報を制御部１５に出力する。
【００２３】
地図データ取得部１１は、ＨＤＤ、ＤＶＤ、ＣＤ等に記憶された地図データを取得するための装置である。地図データには、各リンクの識別情報、距離、道路種別、道路幅員、道路形状、道路名、車線数等を表す道路データ、位置検出精度を向上するためのいわゆるマップマッチングデータ、川、湖、海、鉄道、施設などの位置、形状、名称を表す背景データ、各地の施設の名称、所在位置、施設種類、電話番号等を示す施設データ等が含まれる。
【００２４】
操作部１２は、表示部１４のディスプレイに重ねて設けられたタッチスイッチおよび表示部１４のディスプレイの周囲に設けられたメカニカルなスイッチ等によって構成され、ユーザのスイッチ操作に応じた信号を出力する。
【００２５】
外部メモリ１３は、制御部１７の内部とは別に設けられた不揮発性メモリにより構成されている。この外部メモリ１３には、制御部１７からの指示に応じて各種データが記憶される。
【００２６】
表示部１４は、液晶等のディスプレイを有し、制御部１７から入力される映像信号に応じた映像をディスプレイに表示させる。
【００２７】
スピーカ１５は、制御部１７から入力される音声信号に応じた音声を出力する。
【００２８】
リモコンセンサ１６は、ユーザの操作に応じて赤外線等による無線信号を送信するリモコン１６ａから受信した信号を制御部１７へ出力する。
【００２９】
制御部１７は、ＣＰＵ、内部メモリ、Ｉ／Ｏ等を備えたコンピュータによって構成されており、ＣＰＵは、内部メモリに記憶されたプログラムに従って各種処理を行う。
【００３０】
制御部１７の処理としては、位置検出器１０から入力される信号に基づいて自車位置を算出する自車位置算出処理、地図データ取得部１１を介して地図データを取得し、地図データに基づいて特定領域の地図表示画面を表示部に表示させる地図表示処理、ダイクストラ法等を用いて現在地から目的地に至る最適経路を探索して案内経路を形成する経路探索処理、案内経路に従って走行案内を実施する走行案内処理等がある。
【００３１】
また、制御部１７は、学習アルゴリズム（例えば、ニューラルネットワーク、ファジィ学習、ベイジアンネットワーク等）を用いて走行案内に伴う操作履歴、走行履歴等の履歴情報を学習する履歴情報学習処理も行う。制御部１７は、学習した履歴情報から、ユーザの好みの飲食店（ラーメン屋、パスタ屋など）や、ユーザの好みの行き先（観光地など）を特定することが可能となっている。
【００３２】
また、制御部１７は、地図表示処理において、地図データに基づいて地図表示画面上にジャンプ移動する移動先を示すジャンプボタンを表示させ、ユーザ操作により特定のジャンプボタンが操作されると、ジャンプボタンにより示される位置へジャンプ表示するように地図表示領域を変更するようになっている。
【００３３】
図２に、本実施形態における制御部１７の地図表示処理のフローチャートを示す。車両のイグニッションスイッチがオンすると、本ナビゲーション装置１は動作状態となり、制御部１７は図２に示す処理を開始する。
【００３４】
まず、表示モードの設定の読み込みを行う（Ｓ１００）。表示モードは、ジャンプ移動する位置を示すジャンプボタンの種類（内容）を示すものであり、制御部１７の内部メモリに記憶されている。図３に、表示モードと表示するジャンプボタンの対応関係を示す。図に示すように、表示モードには、都道府県郡市町村などのジャンプボタンを表示する都道府県モードと、山、谷、川、海、砂浜などのジャンプボタンを表示する地形表示モードと、会社名、大学名、大規模施設、市町村役場、飲食店など地図データに格納されているＰＯＩ（Ｐｏｉｎｔ  ｏｆ  Ｉｎｔｅｒｅｓｔ）を表示するＰＯＩ表示モードと、メモリに保存されているメモリ地点を表示するメモリ地点モードと、メモリに保存されている履歴地点を表示する履歴地点モードと、地図表示地点に関連する関連地点を表示する関連地点表示モードがある。また、表示モードには、複数のレベルに階層化されたものがある。例えば、都道府県モードでは、都道府県、郡、市町村の３つのレベルに階層化されている。なお、表示モードの設定は、制御部１７による処理またはユーザ操作により変更可能となっている。また、表示モードと階層化されたレベルを組み合わせて表示モードを設定することも可能となっている。
【００３５】
次に、地図の表示状態の読み込みを行う（Ｓ１０２）。具体的には、地図表示領域、表示スケール、案内中か否かを示す情報等の読み込みを行う。
【００３６】
次に、表示するジャンプボタンを特定する（Ｓ１０４）。具体的には、現在位置との距離が予め定められた閾値未満となるような移動先を示すジャンプボタンを抽出するとともに、先のＳ１００にて読み込んだ表示モードの設定に従って表示部１４に表示させるジャンプボタンを特定する。
【００３７】
図４に、本実施形態における表示モードと閾値との関係を示す。例えば、都道府県モードでは、都道府県の場合３０キロメートル（ｋｍ）、郡市の場合５キロメートル（ｋｍ）、村町の場合１キロメートル（ｋｍ）、番地の場合２００メートル（ｍ）となっている。また、地形表示モードでは、１０キロメートル（ｋｍ）、ＰＯＩ表示モードでは、５キロメートル（ｋｍ）となっている。なお、この閾値は、ユーザ操作により変更することが可能となっている。
【００３８】
したがって、例えば、表示モードの設定がＰＯＩ表示モードとなっている場合、現在位置との距離が５キロメートル未満となる移動先を示すジャンプボタンが抽出され、表示部１４に表示させるジャンプボタンとして特定される。
【００３９】
なお、表示モードと階層化されたレベルを組み合わせて表示モードが設定されている場合には、表示モードとレベルの組み合わせに従って、表示部１４に表示させるジャンプボタンを特定する。
【００４０】
また、図５に示すように、表示スケール（地図スケール）に応じて表示部１４に表示させるジャンプボタンを異ならせるようにしている。例えば、表示スケール（地図スケール）が１００キロメートル（ｋｍ）以上で、かつ、表示モードの設定が都道府県モードとなっている場合には、郡市、町村、番地を示すジャンプボタンを非表示、都道府県を示すジャンプボタンを表示とし、表示スケール（地図スケール）が１キロメートル（ｋｍ）未満で、かつ、表示モードの設定が都道府県モードとなっている場合には、都道府県、郡市、町村、番地を示すジャンプボタンを表示とするようになっている。
【００４１】
次に、履歴情報学習処理により学習した履歴情報に基づいてユーザの嗜好をジャンプボタンの表示に反映させるか否かを判定する（Ｓ１０６）。具体的には、ユーザの嗜好をジャンプボタンの表示に反映させるか否かを確認する画面を表示部１４に表示させ、ユーザの嗜好をジャンプボタンの表示に反映させるか否かを判定する。
【００４２】
ここで、ユーザによりユーザの嗜好をジャンプボタンの表示に反映させないことを示す操作が行われた場合、Ｓ１０６の判定はＮＯとなり、地図上にジャンプボタンを表示させる（Ｓ１１０）。具体的には、地図表示画面上にＳ１０４にて特定したジャンプボタンを重ねて表示させる。
【００４３】
図６に、表示モードの設定が都道府県モードとなっている場合のジャンプボタンの表示例を示す。この図には、現在位置を示す現在位置マークＰ、階層化されたジャンプボタンＪ１〜Ｊ７とともに戻りボタンＢ１〜Ｂ３、消去ボタンＥ１が示されており、地図は省略されている。
【００４４】
ジャンプボタンＪ１（図中、Ａ町）、ジャンプボタンＪ２（Ｂ町）およびジャンプボタンＪ３（図中、Ｃ町）はレベル１として表示されており、ジャンプボタンＪ４（Ｄ市）およびジャンプボタンＪ５（Ｅ市）はレベル２として表示されており、ジャンプボタンＪ６（Ｆ県）、ジャンプボタンＪ７（Ｇ県）はレベル３として表示されている。図に示すように、自車位置マークＰを中心とした同心円上に階層化された各レベル１〜３の表示領域が設けられており、該当する表示領域に各ジャンプボタンＪ１〜Ｊ７が表示される。
【００４５】
また、各ジャンプボタンＪ１〜Ｊ７は、表示領域の中央に表示された自車位置マークＰを基準として、各ジャンプボタンＪ１〜Ｊ７により示される各移動先の方向に表示されている。例えば、自車位置マークＰの北に位置するＡ町を示すジャンプボタンＪ１は、自車位置マークＰの上側に表示され、自車位置マークＰの西に位置するＢ町を示すジャンプボタンＪ２は、自車位置マークＰの左側に表示される。
【００４６】
また、戻りボタンＢ１は、現在位置マークＰ１を含む表示領域の表示に戻すためのボタンであり、戻りボタンＢ２（図中、「１つ前へジャンプ」と記す）は、１回ジャンプ移動する前に表示部１４に表示させていた地図表示領域の表示に戻すためのボタンで、戻りボタンＢ３（図中、「２つ前へジャンプ」と記す）は、２回ジャンプ移動する前に表示部１４に表示させていた地図表示領域の表示に戻すためのボタンである。
【００４７】
消去ボタンＥ１は、各ジャンプボタンＪ１〜Ｊ７の表示を消去するためのボタンである。
【００４８】
また、図７に、表示モードと階層化されたレベルを組み合わせて表示モードが設定されている場合のジャンプボタンの表示例を示す。
【００４９】
ジャンプボタンＪ１０（図中、パスタ屋１）、ジャンプボタンＪ１１（図中、パスタ屋２）およびジャンプボタンＪ１２（図中、パスタ屋３）はＰＯＩ表示モードのレベル１として表示されており、ジャンプボタンＪ１３（図中、焼肉屋１）およびジャンプボタンＪ１４（図中、ラーメン屋１）はＰＯＩ表示モードのレベル２として表示されており、ジャンプボタンＪ１５（図中、メモリ地点１）、ジャンプボタンＪ１６（図中、メモリ地点２）はメモリ地点モードのレベル３として表示される。
【００５０】
また、ユーザによりユーザの嗜好をジャンプボタンの表示に反映させることを示す操作が行われた場合、Ｓ１０６の判定はＹＥＳとなり、次に、表示するジャンプボタンを修正する（Ｓ１０８）。具体的には、履歴情報学習処理により学習した履歴情報に基づいてユーザの嗜好を推定し、当該推定したユーザの嗜好に応じて表示部１４に表示させるジャンプボタンを修正する。例えば、ユーザがラーメン好きであると推定した場合には、図５に示したレベル１〜３に加え、閾値未満の距離に位置するラーメン屋を抽出し、抽出したラーメン屋を示すＰＯＩをレベル４として付加する。
【００５１】
したがって、Ｓ１１０において、図５に示したレベル１〜３に加え、ラーメン屋を示すＰＯＩをレベル４として付加した画像が表示部１４に表示される。
【００５２】
Ｓ１１２では、操作部１２のタッチスイッチあるいはリモコン１６ａの操作により特定のジャンプボタンが選択操作されたか否かを判定し、Ｓ１２０では、特定の戻りボタンが選択操作されたか否かを判定し、Ｓ１２４では、消去ボタンが選択操作されたか否かを判定する。
【００５３】
ここで、ユーザにより特定のジャンプボタンが選択操作されると、Ｓ１１２の判定はＹＥＳとなり、選択操作されたジャンプボタンにより示される位置へジャンプ移動させる（Ｓ１１４）。具体的には、選択操作されたジャンプボタンにより示される移動先へジャンプ移動するように地図表示領域を変更する。
【００５４】
更に、選択操作されたジャンプボタンに応じて表示スケールを変更する（Ｓ１１６）。具体的には、選択操作されたジャンプボタンに応じて適切な表示スケールを算出して表示スケールを変更する。本実施形態では、選択操作されたジャンプボタンにより示される移動先全体が地図表示領域に含まれるように表示スケールを変更する。例えば、表示モードの設定が都道府県モードとなっており、ユーザによりある県が選択操作された場合、その県全体が地図表示領域に含まれるように表示スケールを変更し、ユーザによりある町が選択操作された場合、その町全体が地図表示領域に含まれるように表示スケールを変更する。
【００５５】
次に、表示履歴を記憶する（Ｓ１１８）。具体的には、ジャンプ表示する前の地図表示領域を制御部１７の内部メモリに記憶させ、Ｓ１００へ戻る。このようにして、制御部１７の内部メモリには、ジャンプ表示する前の地図表示領域の履歴が記憶される。
【００５６】
図６のように地図上にジャンプボタンを表示させた状態で、操作部１２のタッチスイッチあるいはリモコン１６ａの操作により特定の戻りボタンが選択操作されると、Ｓ１１２の判定はＮＯ、Ｓ１２０の判定はＹＥＳとなり、ジャンプ移動する前の位置へジャンプ移動させる（Ｓ１２２）。すなわち、Ｓ１１８にて制御部１７の内部メモリに記憶させた表示履歴に基づいてジャンプ移動する前に表示部１４に表示されていた地図表示領域の表示に戻す。例えば、図６に示した戻りボタンＢ１が選択操作されると、現在位置マークＰ１を含む表示領域の表示に戻し、戻りボタンＢ２（図中、「１つ前へジャンプ」と記す）が選択操作されると、１回ジャンプ移動する前に表示部１４に表示させていた地図表示領域の表示に戻し、戻りボタンＢ３（図中、「２つ前へジャンプ」と記す）が選択操作されると、２回ジャンプ移動する前に表示部１４に表示させていた地図表示領域の表示に戻す。
【００５７】
また、図６のように地図上にジャンプボタンを表示させた状態で、ユーザにより消去ボタンＥ１が選択操作されると、Ｓ１２４の判定はＹＥＳとなり、ジャンプボタンを消去する（Ｓ１２６）。具体的には、図６に示したようなジャンプボタンＪ１〜Ｊ７とともに戻りボタンＢ１〜Ｂ３の表示を消去して地図のみの表示とし、本処理を終了する。
【００５８】
上記した構成によれば、地図データに基づいて地図表示画面上にジャンプ移動する移動先を示すジャンプボタンを表示させ、ジャンプボタンが選択操作されたことを判定すると、ジャンプボタンにより示される移動先へジャンプ移動するように地図表示領域を変更するので、１回の選択操作で所望の地図表示領域を表示させることが可能となり、操作性を向上することができる。
【００５９】
また、現在位置との距離が予め定められた閾値未満となるような移動先を示すジャンプボタンが抽出され、当該抽出されたジャンプボタンが表示部に表示されるので、現在位置を中心とする所定範囲内を移動先とするジャンプボタンのみを表示部に表示し、ジャンプボタンにより示される移動先へジャンプ移動するように地図表示領域を変更することが可能である。
【００６０】
また、設定されている表示モードとレベルに対応するジャンプボタンが表示部に表示されるので、ユーザは好みの表示モードとレベルを設定することにより、好みの表示モードとレベルに対応するジャンプボタンを表示させることが可能である。
【００６１】
また、走行案内に伴う履歴情報を学習し、この履歴情報からユーザの嗜好を推定し、ユーザの嗜好に合うように表示部に表示させるジャンプボタンが修正されるので、ユーザの嗜好に合うジャンプボタンが表示部に表示され、ユーザは表示部に表示されたジャンプボタンを選択操作することが可能である。
【００６２】
また、ジャンプ表示した地図表示領域の履歴情報を記憶しておき、ジャンプ移動する以前に表示部に表示させていた地図表示領域の表示に戻すための戻りボタンを表示部に表示させ、戻りボタンが選択操作されたことを判定すると、履歴情報に基づいてジャンプ移動する以前に表示部に表示されていた地図表示領域の表示に戻すので、ユーザは容易にジャンプ移動する以前に表示部に表示させていた地図表示領域の表示に戻す操作を行うことができる。
【００６３】
なお、本実施形態では、図６、図７に示したように、自車位置マークＰを中心とした同心円上に階層化された各レベルの表示領域が設けられており、各表示領域に各ジャンプボタンを表示する構成を示したが、このような表示方法に限定されるものではなく、例えば、図８に示すように、地図表示領域の上部にＹ市へジャンプ移動するためのジャンプボタンＪ１を表示させ、地図表示領域の右端部にＸ市へジャンプ移動するためのジャンプボタンＪ２を表示させ、地図表示領域の左下部にＺ市へジャンプ移動するためのジャンプボタンＪ３を表示させるようにしてもよい。
【００６４】
（第２実施形態）
上記第１実施形態では、設定されている表示モードとレベルに従ってジャンプボタンを表示させたが、本実施形態では、ジャンプボタンにより示される移動先を示す方角および距離感を認識しやすくするため、ジャンプボタンにより示される移動先を示す方角および距離に対応する部位にジャンプボタンを表示させる。すなわち、制御部１７は、図２のＳ１１０において、ジャンプボタンにより示される移動先を示す方角および距離を算出し、図９に示すように、自車位置Ｐを基準としてジャンプボタンにより示される移動先を示す方角および距離に対応する部位にジャンプボタンＪ１０〜Ｊ１３を表示させる。また、ジャンプボタンにより示される移動先との距離の表示も行う。
【００６５】
このように、ジャンプボタンにより示される移動先を示す方角および距離を算出し、ジャンプボタンにより示される移動先を示す方角および距離に対応する部位にジャンプボタンが表示されるので、ジャンプボタンにより示される移動先を示す方角および距離感を認識し易い表示とすることができる。
【００６６】
（その他の実施形態）
例えば、上記実施形態では、ナビゲーション装置１を用いて地図表示装置を構成したが、ナビゲーション装置１以外の装置を用いて地図表示装置を構成してもよい。
【００６７】
また、上記実施形態では、図６、図７に示した様に、ジャンプ移動する移動先を示すジャンプボタンを表示したが、移動先だけでなく、例えば、現在位置からの距離を同時に表示するようにしてもよい。この場合、例えば、距離の短いジャンプボタンよりも距離の長いジャンプボタンの大きさを大きくする等、距離に応じてジャンプボタンの大きさを異ならせるようにしてもよい。
【００６８】
また、上記実施形態では、図６、図７に示した様に、ジャンプボタンを階層化して表示させる場合、各階層を異なる色で表示したり、色が徐々に変化するようにグラデーションをつけて表示したりしてもよい。
【００６９】
なお、上記実施形態における構成と特許請求の範囲の構成との対応関係について説明すると、Ｓ１０８、Ｓ１１０がジャンプボタン表示手段に相当し、操作部１２およびリモコン１６ａが操作手段に相当し、Ｓ１１２、Ｓ１１４が第１のジャンプ表示手段に相当し、位置検出器１０から入力される信号に基づいて自車位置を算出する自車位置算出処理が現在位置特定手段に相当し、Ｓ１００が表示モード特定手段に相当し、Ｓ１１６が表示スケール変更手段に相当し、Ｓ１０８がジャンプボタン修正手段に相当し、Ｓ１１８が表示領域履歴記憶手段に相当し、Ｓ１２２が第２のジャンプ表示手段に相当する。
【図面の簡単な説明】
【００７０】
【図１】本発明の第１実施形態に係る地図表示装置の構成を示す図である。
【図２】第１実施形態に係る制御部の地図表示処理のフローチャートである。
【図３】表示モードとジャンプボタンの対応関係について説明するための図である。
【図４】表示モードとジャンプボタンを抽出する際の閾値の関係を示す図である。
【図５】表示スケール（地図スケール）と表示内容の関係を示す図である。
【図６】表示モードの設定が都道府県モードとなっている場合のジャンプボタンの表示例を示す図である。
【図７】表示モードと階層化されたレベルを組み合わせて表示モードが設定されている場合のジャンプボタンの表示例を示す図である。
【図８】ジャンプボタンの表示についての変形例を示す図である。
【図９】ジャンプボタンの表示についての変形例を示す図である。
【符号の説明】
【００７１】
１    ナビゲーション装置
１０  位置検出器
１１  地図データ取得部
１２  操作部
１３  外部メモリ
１４  表示部
１５  スピーカ
１６  リモコンセンサ
１７  制御部
【図１】
2010039100.tif 000003
【図２】
2010039100.tif 000004
【図３】
2010039100.tif 000005
【図４】
2010039100.tif 000006
【図５】
2010039100.tif 000007
【図６】
2010039100.tif 000008
【図７】
2010039100.tif 000009
【図８】
2010039100.tif 000010
【図９】
2010039100.tif 000011